(57)【要約】【課題】任意の大きさの空間に区画することができ、しかも薄い壁厚で空間利用効率に優れる可動間仕切り壁を提供する。【解決手段】天井２に沿って敷設した一対の平行なガイドレール間に、横行ビーム部材４が架け渡され、該横行ビーム部材４に間仕切り壁６が垂直に吊下げられ、ガイドレールの両端位置に支持された滑車７・８・１１・１２を経由して走行自在に無端ロープ１５が張架され、該無端ロープ１５は、ガイドレールのうち一方のガイドレールの前端から後端を経由して他方のガイドレールの後端に渡り、該他方のガイドレールの後端からその前端に張架され、該前端で折り返された後、そのガイドレールの後端を経由して前記一方のガイドレールの後端から再び前端に張架されるように支持され、横行ビーム部材４は、無端ロープ１５においてガイドレールと平行な部分で同一方向に走行させられる２箇所に両端部がそれぞれ固定されている。【選択図】図４
2008050910.tif 000002
【特許請求の範囲】
【請求項１】
天井に沿って敷設した一対の平行なガイドレール間に、これらガイドレールに沿って往復移動自在に横行ビーム部材が架け渡されるとともに、該横行ビーム部材に、その長さ方向に沿う間仕切り壁が垂直に吊下げられ、前記ガイドレールの両端位置にそれぞれ滑車が支持され、これら滑車を経由して走行自在に無端ロープが張架され、
該無端ロープは、前記ガイドレールのうち一方のガイドレールの前端から後端を経由して他方のガイドレールの後端に渡り、該他方のガイドレールの後端からその前端に張架され、該前端で折り返された後、そのガイドレールの後端を経由して前記一方のガイドレールの後端から再び前端に張架されるように支持され、
前記横行ビーム部材は、前記無端ロープにおいて前記ガイドレールと平行な部分で同一方向に走行させられる２箇所に両端部がそれぞれ固定されていることを特徴とする可動間仕切り壁。
【請求項２】
前記横行ビーム部材の両端部に垂直に垂れ下がる縦枠部材が設けられ、前記無端ロープは、前記一方のガイドレールの前端から引き出されて垂直に床面に引き降ろされ、該床面で天井での張架方向と平行に張架された後、前記ガイドレールの前端に戻るように巡回させられ、前記縦枠部材の下端が、床面での無端ロープにおいて前記ガイドレールと平行な部分で同一方向に走行させられる2箇所にそれぞれ固定されていることを特徴とする請求項１記載の可動間仕切り壁。
【請求項３】
前記間仕切り壁は、複数の扉部材が横行ビーム部材の長さ方向に沿って並べられて構成され、各扉部材は、隣接する少なくとも一方の扉部材との間が折り畳み自在なヒンジによって結合され、該ヒンジを折り畳みながら横行ビーム部材の長さ方向に沿って移動自在とされていることを特徴とする請求項１又は２記載の可動間仕切り壁。
【発明の詳細な説明】
【技術分野】
【０００１】
本発明は、部屋を適当な大きさの空間に仕切ることのできる可動間仕切り壁に関する。
【背景技術】
【０００２】
可動間仕切り壁は、建物の中の大きな空間の部屋に設けておき、その部屋を会議や催し事の出席人数に合わせた大きさの空間に仕切ったり、住宅では、来客時に合わせて部屋を仕切ったり、部屋の一部を子供用や納戸等の他の目的のものに区画したりする場合に使用される。
このような可動間仕切り壁は、従来では、予め区画すべき位置を想定して、その想定位置で天井にガイドレールを敷設し、このガイドレールから吊下げられる複数枚のパネル部材を部屋の一箇所に集合させておき、必要に応じてガイドレールに沿って引き出して部屋を仕切る構成とされている（例えば、特許文献１参照）。
【特許文献１】特開２００２−１０６２６３号公報
【発明の開示】
【発明が解決しようとする課題】
【０００３】
しかしながら、従来の可動間仕切り壁の構成であると、区画すべき位置が予め決められており、ガイドレールを敷設した箇所でないと仕切ることができず、任意の大きさの空間に区画したい場合には使用することはできない。
この場合、天井のガイドレールに支持するのではなく、キャスタ等を設けて、床面上を走行する仕切り壁とすることも考えられるが、起立状態に保持するために壁厚が大きくなり、空間の利用効率が悪いものとなる。
【０００４】
本発明は前記事情に鑑みてなされたもので、任意の大きさの空間に区画することができ、しかも薄い壁厚で空間利用効率に優れる可動間仕切り壁を提供することを目的とする。
【課題を解決するための手段】
【０００５】
本発明の可動間仕切り壁は、天井に沿って敷設した一対の平行なガイドレール間に、これらガイドレールに沿って往復移動自在に横行ビーム部材が架け渡されるとともに、該横行ビーム部材に、その長さ方向に沿う間仕切り壁が垂直に吊下げられ、前記ガイドレールの両端位置にそれぞれ滑車が支持され、これら滑車を経由して走行自在に無端ロープが張架され、該無端ロープは、前記ガイドレールのうち一方のガイドレールの前端から後端を経由して他方のガイドレールの後端に渡り、該他方のガイドレールの後端からその前端に張架され、該前端で折り返された後、そのガイドレールの後端を経由して前記一方のガイドレールの後端から再び前端に張架されるように支持され、前記横行ビーム部材は、前記無端ロープにおいて前記ガイドレールと平行な部分で同一方向に走行させられる２箇所に両端部がそれぞれ固定されていることを特徴とする。
【０００６】
すなわち、無端ロープを走行させることにより、両ガイドレール間に架け渡されている横行ビーム部材がガイドレールに沿って移動し、その移動に伴い横行ビーム部材から吊下げられている間仕切り壁が前後に移動させられる。この間仕切り壁は横行ビーム部材から吊下げ状態に支持されていて、自身で起立する必要はないので、比較的薄い壁厚のもので十分である。また、ガイドレールは天井に沿って敷設されており、床面には設置されていないので、床面を平坦なまま維持することができ、どの位置に間仕切り壁を移動させても平坦な床面が露出し、床面としての機能を損なうことがない。
【０００７】
この可動間仕切り壁において、前記横行ビーム部材の両端部に垂直に垂れ下がる縦枠部材が設けられ、前記無端ロープは、前記一方のガイドレールの前端から引き出されて垂直に床面に引き降ろされ、該床面で天井での張架方向と平行に張架された後、前記ガイドレールの前端に戻るように巡回させられ、前記縦枠部材の下端が、床面での無端ロープにおいて前記ガイドレールと平行な部分で同一方向に走行させられる2箇所にそれぞれ固定されている構成としてもよい。
【０００８】
このような構成とすれば、縦枠部材の上下両端が天井側と床面側で無端ロープに固定されるので、移動操作を安定して行わせることができる。また、この縦枠部材に間仕切り壁の両側縁部を固定しておくことにより、横行ビーム部材から吊下げられる間仕切り壁が揺れないように保持される。
【０００９】
さらに、本発明の可動間仕切り壁において、前記間仕切り壁は、複数の扉部材が横行ビーム部材の長さ方向に沿って並べられて構成され、各扉部材は、隣接する少なくとも一方の扉部材との間が折り畳み自在なヒンジによって結合され、該ヒンジを折り畳みながら横行ビーム部材の長さ方向に沿って移動自在とされている構成とすることもできる。
このような構成とすることにより、扉部材を折り畳むと、折り畳んだ部分で横行ビーム部材の下方空間を開放した状態とすることができ、床面上に家具等が設置されている場合に、その設置部分を開放した状態に扉部材を折り畳んで間仕切り壁を移動させれば、家具等を避けるように移動させることができ、移動に伴う作業を簡便にすることができる。
【発明の効果】
【００１０】
本発明の可動間仕切り壁によれば、無端ロープを走行させることにより、ガイドレールに沿って横行ビーム部材とともに間仕切り壁を任意の位置に移動させることができ、空間を任意の大きさに区画することが可能である。しかも、間仕切り壁は横行ビーム部材から吊下げ状態に支持されていて、自身で起立する必要はないので、比較的薄い壁厚のもので十分で、空間の利用効率を高めることができる。また、どの位置に間仕切り壁を移動させても平坦な床面が露出し、床面としての機能を損なうことがない。
【発明を実施するための最良の形態】
【００１１】
以下、本発明の可動間仕切り壁の実施の形態について図面を参照しながら説明する。
この可動間仕切り壁は、部屋の対向する壁１の間を全面的に仕切るように構成されており、両壁１の天井２付近に、該天井２に沿って平行なガイドレール３がそれぞれ敷設され、両ガイドレール３の間に、これらガイドレール３に沿って往復移動自在な横行ビーム部材４が架け渡され、この横行ビーム部材４の両端部に縦枠部材５が垂直に固定され、これら縦枠部材５の間に、横行ビーム部材４から吊下げ状態の間仕切り壁６が設けられ、前記ガイドレール３の両端位置とこれらの位置に対向する床面位置にそれぞれ滑車７〜１４が固定され、これら滑車７〜１４に張架された無端ロープ１５を走行させることにより、横行ビーム部材４がガイドレール３に沿って移動して、横行ビーム部材４と一体に間仕切り壁６が前後に移動する構成とされている。
【００１２】
前記ガイドレール３は、図３に示すように、天井２と壁１の隅部に木材からなる縁部材２１が固定されるとともに、この縁部材２１の下面に、該縁部材２１よりも幅広の金属板２２が固定され、この金属板２２の一側部が部屋の内方に向けて突出しており、その突出部分の上面に、横行ビーム部材４の両端の車輪２３が支持される構成である。
【００１３】
前記横行ビーム部材４は、その両端よりも若干内側に寄った位置の上面にＬ型のブラケット２４が固定されるとともに、該ブラケット２４に、前記車輪２３が横行ビーム部材４の長さ方向に沿う軸２３ａを中心に回転自在に支持されている。そして、その車輪２３を前記ガイドレール３の金属板２２上に搭載することにより、横行ビーム部材４がガイドレール３に吊下げ状態に支持されることになる。この場合、車輪２３が横行ビーム部材４の両端から若干内側に寄った位置に設けられていることから、ガイドレール３の下方に横行ビーム部材４の両端が配置されている。また、この横行ビーム部材４の下面には、間仕切り壁６の上端をスライド自在に支持するレール部材２５が長さ方向に沿って一体に固定されている。
前記縦枠部材５は、横行ビーム部材４の両端にほぼ壁１の表面に沿うように固定されている。
【００１４】
前記間仕切り壁６は、図１から図３に示す例では、４枚の扉部材３１が並べられて構成されるとともに、これら扉部材３１のうち、２枚ずつ対をなすようにヒンジ３２で折り畳み自在に連結されており、この一対の扉部材３１の外側縁部が前記横行ビーム部材４のレール部材２５にスライド自在に支持されている。したがって、各扉部材３１は、これらを広げた状態としたときに一枚の間仕切り壁６を構成し、各組において対をなす一方の扉部材３１をレール部材２５に沿ってスライドさせながらヒンジ３２の部分で折り畳むことにより、間仕切り壁６の中央部に空間を開放することができるようになっている。
【００１５】
一方、前記ガイドレール３の下面には、図３及び図４に示すように、該ガイドレール３に沿う溝枠部材３３が溝を下方に向けて固定されている。また、ガイドレール３の前方及び後方、言い換えれば溝枠部材３３の前方及び後方にはそれぞれ滑車７〜１０が支持されている。
これら滑車７〜１０のうち、図６の右側の溝枠部材３３の前後には、滑車７・８が２個ずつ支持されており、溝枠部材３３の前方位置の滑車７は、溝枠部材３３に直交する水平な同一の軸７ａを中心として回転自在に２個が並べられて支持され、溝枠部材３３の後方位置の滑車８は、溝枠部材３３に直交する垂直な二つの軸８ａを中心として回転自在にかつ前後にずれた位置で支持されている。一方、図６の左側の溝枠部材３３の前後には、その後方には右側の溝枠部材３３の場合と同様に２個の滑車９が垂直な軸９ａを中心に回転自在に支持されているが、前方には、垂直な軸１０ａを中心とした１個の滑車１０のみが支持されている。
【００１６】
さらに、床４１の直下には、図３及び図４に示すように、天井２における溝枠部材３３と同様の溝枠部材４２が溝を上方に向けてかつ天井２の溝枠部材３３と平行に設けられており、この溝枠部材４２の前方及び後方に、天井２における滑車７〜１０の設置位置と対称となるように滑車１１〜１４が配置されている。つまり、図７の右側の溝枠部材４２の前後には、その前方に水平な軸１１ａを中心として回転自在な滑車１１が２個並べられ、後端部に垂直な軸１２ａを中心として回転自在に滑車１２が２個前後にずれて配置されており、左側の溝枠部材４２の前後には、その後方に垂直な軸１３ａを中心に回転自在な滑車１３が２個前後にずれて配置され、前方に垂直な軸１４ａを中心に回転自在な滑車１４が１個のみ支持されている。
【００１７】
そして、これら天井２及び床４１の各滑車７〜１４を経由して無端ベルト１５が張架され、溝枠部材３３・４２の溝の中に収納されている。
すなわち、無端ロープ１５は、天井２における両溝枠部材３３のうち一方の溝枠部材（例えば図６の右側の溝枠部材）３３の前方位置で、そのうちの一つの滑車（例えば図６の左側の滑車）７に案内されて溝枠部材３３の溝の中を通って後方の滑車８のうちの一つの滑車（例えば図６の前側の滑車）８を経由して他方の溝枠部材（図６の左側の溝枠部材）３３の後方の滑車９のうちの一方（前側の滑車）に案内され、この溝枠部材３３の溝の中を通って前方の滑車１０に図６の右側から左側へと巻回された後、再度溝枠部材３３を通って後方にある他方の滑車９に案内され、右側の溝枠部材３３を経由して前方の他の一つの滑車（右側の滑車）７に案内されている。
【００１８】
そして、無端ロープ１５は、この天井２から床４１に引き降ろされ、床４１においても天井２の場合と同様に各滑車１１〜１４を経由し、その後、再び天井２の右側の両滑車７に戻されており、天井２と床４１との各滑車７〜１４を巡回するようにして張架されている。図６の符号４３は天井２における両溝枠部材３３間で無端ロープ１５を覆うカバー、図７の符号４４は床４１における両溝枠部材４２間で無端ロープ１５を覆うカバーを示している。また、
このように無端ロープ１５張架されることにより、無端ロープ１５はその大部分が溝枠部材３３・４１やカバー４３・４４に覆われるが、間仕切り壁６の右方位置で上下方向に沿って露出することになる。
【００１９】
そして、前記縦枠部材５の上端及び下端が無端ロープ１５の途中位置に取付金具４５によって固定されている。この場合、右側の縦枠部材５は、その上端及び下端とも無端ロープ１５において図６の左側の滑車７・８により案内されている部分に固定され、一方、左側の縦枠部材５は、滑車１０の左側を走行する部分に固定されている。このような固定構造とすることにより、無端ロープ１５の走行時に、両縦枠部材５とも、前方又は後方のいずれか一方の同一方向に移動させられることになる。
【００２０】
前記取付金具４５は、縦枠部材５にＬ字形のブラケット４６が固定されるとともに、該ブラケット４６に溝枠部材３３・４２の溝に沿う縦板４７が垂直に固定され、その縦板４７の先端部に筒状に丸めてなるロープ挿通部４８が形成され、このロープ挿通部４８に挿通させた無端ロープ１５をボルト４９によって押さえつけて固定する構成である。
なお、図７の符号５１は、床４１の下方に設置されている滑車１１・１４のための点検口であり、図示略の蓋が被せられる。この場合、滑車１１を経由する無端ロープが挿通する部分は蓋にロープ挿通孔が形成される。また、符号５２〜５５は、天井２付近で各滑車７〜１０を覆うカバーである。
【００２１】
このように構成した可動間仕切り壁は、間仕切り壁６の右方位置に露出している無端ロープ１５を上下方向に操作することにより、この無端ロープ１５をいずれかの方向に走行させると、両ガイドレール３間に架け渡されている横行ビーム部材４がガイドレール３に沿って移動し、その移動に伴い横行ビーム部材４から吊下げられている間仕切り壁６が前後に移動させられる。図示例の場合は、間仕切り壁６の右方位置に露出している無端ロープ１５のうち、右側の無端ロープ１５を下方に引っ張ると、横行ビーム部材４は左側の無端ロープ１５に固定されているので、部屋の奥の方（図１の左方）に移動することになり、逆に左側の無端ロープ１５を引き下げると、横行ビーム部材４は部屋の前方（図１の右方）に移動する。
【００２２】
このようにして、無端ロープ１５をいずれかの方向に走行させることにより、間仕切り壁６によって仕切られる二つの部屋Ｘ・Ｙの大きさを任意に変更することができる。この場合、縦枠部材５の上下両端が天井側と床面側とで無端ロープ１５に固定されているので、間仕切り壁６の全体としては、その四隅で無端ロープ１５に駆動されることになり、その移動操作を安定して行わせることができる。
【００２３】
また、間仕切り壁６は横行ビーム部材４から吊下げ状態に支持されていて、自身で起立する必要はないので、比較的薄い壁厚のもので十分である。また、ガイドレール３は天井２に沿って敷設されており、床面には設置されていないので、床面を平坦なまま維持することができ、どの位置に間仕切り壁６を移動させても平坦な床面が露出し、床面としての機能を損なうことがない。
【００２４】
なお、扉部材３１を折り畳むと、折り畳んだ部分で横行ビーム部材４の下方空間を開放した状態とすることができ、床面上に家具等が設置されている場合に、その設置部分を開放した状態に扉部材を折り畳んで間仕切り壁６を移動させれば、家具等を避けるように移動させることができ、移動に伴う作業を簡便にすることができる。
【００２５】
以上、本発明の実施形態について図面を参照して詳述したが、具体的な構成はこの実施形態に限られるものではなく、本発明の要旨を逸脱しない範囲の設計変更等も含まれる。例えば、無端ロープを天井と床面との両方に敷設したが、天井側のみとし、滑車７からループ状に垂下げ、その垂下げた部分を操作することにより、走行させる構成としてもよい。また、間仕切り壁はヒンジ結合した扉部材以外にも、引き戸形式、アコーディオン形式等も採用可能である。この場合、左右の縦枠部材５の一方又は両方に間仕切り壁を固定することも可能であり、間仕切り壁の移動中に揺れることを防止することができる。
【図面の簡単な説明】
【００２６】
【図１】本発明の可動間仕切り壁の一実施形態を示す平面図である。
【図２】図１におけるＡ−Ａ線に沿う縦断面図である。
【図３】図１におけるＢ−Ｂ線に沿う縦断面図である。
【図４】図１におけるＣ−Ｃ線に沿う縦断面図である。
【図５】図１におけるＤ−Ｄ線に沿う縦断面図である。
【図６】天井における無端ロープの張架状態を示す平面図である。
【図７】床における無端ロープの張架状態を示す平面図である。
【図８】図２における右側の天井側滑車を示すもので、（ａ）が側面図、（ｂ）が正面図である。
【図９】図２における右側の床側滑車を示すもので、（ａ）が側面図、（ｂ）が正面図である。
【図１０】図４における奥側の天井側滑車を示すもので、（ａ）が側面図、（ｂ）が正面図である。
【図１１】図２における右側の床側滑車を示すもので、（ａ）が側面図、（ｂ）が正面図である。
【図１２】無端ロープの取付金具を示すもので、（ａ）が正面図、（ｂ）が側面図である。
【符号の説明】
【００２７】
１…壁、２…天井、３…ガイドレール、４…横行ビーム部材、５…縦枠部材、６…間仕切り壁、７〜１４…滑車、１５…無端ロープ、２１…縁部材、２２…金属板、２３…車輪、２４…ブラケット、２５…レール部材、３１…扉部材、３２…ヒンジ、３３…溝枠部材、４１…床、４２…溝枠部材、４３・４４…カバー、４５…取付金具、４６…ブラケット、４７…縦板、４８…ロープ挿通部、４９…ボルト、５１…点検口、５２〜５５…カバー
【図１】
2008050910.tif 000003
【図２】
2008050910.tif 000004
【図３】
2008050910.tif 000005
【図４】
2008050910.tif 000006
【図５】
2008050910.tif 000007
【図６】
2008050910.tif 000008
【図７】
2008050910.tif 000009
【図８】
2008050910.tif 000010
【図９】
2008050910.tif 000011
【図１０】
2008050910.tif 000012
【図１１】
2008050910.tif 000013
【図１２】
2008050910.tif 000014